【誤訳訂正書】
【提出日】平成30年5月24日(2018.5.24)
【誤訳訂正１】
【訂正対象書類名】特許請求の範囲
【訂正対象項目名】全文
【訂正方法】変更
【訂正の内容】
【特許請求の範囲】
【請求項１】
エポキシ樹脂Ｅ、芳香族ジヒドロキシ化合物Ｄ１、及びアミンＡからできている付加物ＥＡを含む可塑化エポキシド−アミン付加物Ｐである結合剤樹脂であって、
前記エポキシ樹脂Ｅは、エピクロロヒドリンと、各々１分子当たり２以上のヒドロキシル基を有する芳香族化合物Ｄ１又は（環状）脂肪族化合物Ｄ２からできている、又は、モル質量が２００ｇ／モルからまでの範囲である低モル質量のジエポキシド又はポリエポキシド化合物Ｄ３と、１分子当たり２以上のヒドロキシル基を有する前記芳香族化合物Ｄ１又は（環状）脂肪族化合物Ｄ２からできており、
前記アミンＡは６〜１２個の炭素原子を有する第１級モノアミンＡ１、第１級−第３級ジアミンＡ２、ジ−第１級−第２級−アミンＡ３、第２級アミン、ジアミンＡ４、及びヒドロキシル−官能性第２級アミンＡ５、並びにこれらのアミンの２種以上の混合物からなる群から選択され、
前記付加物が、脂肪酸アミドＭとトリグリセリドＧＴ、ジグリセリドＧＤ、及びモノグリセリドＧＭからなる群から選択される少なくとも２種のグリセリドの混合物であるグリセリド混合物ＧＸとの混合物Ｍ’の、前記付加物ＥＡへの組み入れにより可塑化され、
前記エポキシ樹脂Ｅ中のエポキシ基の物質量ｎ（ＥＰ）対前記アミンＡ及びＡ’中のアミンの水素原子の物質量ｎ（ＮＨ）と、前記脂肪酸アミドＭ中のアミドの水素原子の物質量ｎ（ＮＨ）と、前記ヒドロキシル−官能性第２級アミンＡ５中の第１級ヒドロキシ基の物質量ｎ（ＯＨ）と、前記芳香族ジヒドロキシ化合物Ｄ１のフェノールのヒドロキシ基の物質量ｎ（ＯＨ）との合計の比が、０．８モル／モル〜０．９９９モル／モルであり、
このようにして得られる結合剤の油長は少なくとも１０％である、
結合剤樹脂。
【請求項２】
前記付加物ＥＡへの不飽和脂肪酸Ｆ’の組み入れにより変性されている請求項１に記載の結合剤樹脂であって、
前記エポキシ樹脂Ｅ中のエポキシ基の物質量ｎ（ＥＰ）対前記アミンＡ及びＡ’中のアミンの水素原子の物質量ｎ（ＮＨ）と、前記脂肪酸アミドＭ中のアミドの水素原子の物質量ｎ（ＮＨ）と、前記脂肪酸Ｆ’中の酸の水素原子の物質量ｎ（ＣＯＯＨ）と、前記ヒドロキシル−官能性第２級アミンＡ５中の第１級ヒドロキシ基の物質量ｎ（ＯＨ）と、前記芳香族ジヒドロキシ化合物Ｄ１のフェノールのヒドロキシ基の物質量ｎ（ＯＨ）との合計の比が、０．８モル／モル〜０．９９９モル／モルである、
結合剤樹脂。
【請求項３】
前記エポキシ樹脂Ｅが１分子当たり平均して少なくとも２つのエポキシ基を有する、請求項１又は請求項２に記載の結合性樹脂。
【請求項４】
前記アミンＡが少なくとも１つの第１級又は第２級アミノ基を有する脂肪族直鎖、環状又は分枝アミンである、請求項１〜３のいずれか一項に記載の結合性樹脂。
【請求項５】
前記脂肪酸アミドＭが脂肪酸Ｆから及びアミンＡ’から誘導される部分を含み、ここで前記アミンＡ’は少なくとも２つの第１級アミノ基及び少なくとも１つの第２級アミノ基を有する、請求項１〜４のいずれか一項に記載の結合性樹脂。
【請求項６】
前記脂肪酸Ｆが、酪酸、カプロン酸、カプリル酸、２−エチルヘキサン酸、カプリン酸、ラウリン酸、ミリスチン酸、パルミチン酸、ステアリン酸、アラキジン酸、ベヘン酸、リグノセリン酸、セロチン酸、モンタン酸、及びメリシン酸を含み、４〜３０個の炭素原子を有する飽和脂肪酸からなる群から、並びにミリストレイン酸、パルミトレイン酸、ペトロセリン酸、ペトロセライジン酸、オレイン酸、エライジン酸、リノール酸、リノールエライジン酸、リノレン酸、リノレンエライジン酸、アルファ−及びベータ−エレオステアリン酸、ガドレイン酸、アラキドン酸、エルカ酸、ブラシジン酸、及びクルパノドン酸を含み、１２〜３０個の炭素原子を有し且つ少なくとも１つのオレフィン系不飽和を有する不飽和脂肪酸からなる群から選択される、請求項５に記載の結合性樹脂。
【請求項７】
アミンＡ’が、少なくとも２つの第１級アミノ基及び少なくとも１つの第２級アミノ基を有し、そして４〜４０個の炭素原子をする直鎖、分枝又は環状脂肪族アミンからなる群から選択される、請求項５に記載の結合性樹脂。
【請求項８】
請求項５に記載の結合性樹脂であって、
前記アミンＡ’が、式：
Ｈ２Ｎ−[(ＣＨ２)ｎ−ＮＨ−]ｍ−Ｈ
に従い、式中ｎは２〜１２の整数であり、そしてｍは２〜２００の整数であり、
それには、ジエチレントリアミン、トリエチレンテトラミン、テトラエチレンペンタミン、ペンタエチレンヘキサミン、式Ｈ２Ｎ−[ＣＨ２−ＣＨ２−ＮＨ−]ｍ’−１−ＣＨ２−ＣＨ２−ＮＨ２（式中ｍ’は５〜２００である）で表されるアミノ末端基を有するオリゴマー及びポリマーのエチレンイミン、ジ−（２−メチルエチレン）トリアミン、トリ−（２−メチルエチレン）テトラミン、テトラ−（２−メチルエチレン）ペンタミン、ジプロピレントリアミン、トリプロピレンテトラミン、テトラプロピレンペンタミン、ジブチレントリアミン、トリブチレンテトラミン、テトラブチレンペンタミン、及びジ（ヘキサメチレン）トリアミン、トリ−（ヘキサメチレン）テトラミン、テトラ（ヘキサメチレン）ペンタミン、Ｎ，Ｎ’−ビス（２−アミノエチル）−ピペラジン、並びにＮ’−［２−［４−（２−アミノエチル）ピペラジン−１−イル］−エチル］−エタン−１，２−ジアミンが含まれる、
結合性樹脂。
【請求項９】
請求項１〜８のいずれか一項に記載の結合性樹脂であって、
前記第１級モノアミンＡ１はｎ−ヘキシルアミン、シクロヘキシルアミン、２−エチルヘキシルアミン及びステアリルアミンからなる群から選択され、前記第１級−第３級ジアミンＡ２はジメチルアミノプロピルアミン、ジエチルアミノプロピルアミン、及びＮ−（２−アミノエチル）ピペリジンからなる群から選択され、前記ジ−第３級−第２級アミンＡ３はジエチレントリアミン、トリエチレンテトラミン、及びテトラエチレンペンタミン、更に、オリゴマージアミノポリ−エチレンイミンの市販の混合物からなる群から選択され、前記第２級アミン及びジアミンＡ４はピペリジン、ピペラジン、ジ−ｎ−ブチルアミン、モルホリンからなる群から選択され、並びに前記ヒドロキシル−官能性第２級アミンＡ５はエタノール−アミン、ジエタノールアミン、及びジイソプロパノールアミンからなる群から選択される、
結合性樹脂。
【請求項１０】
請求項１〜９のいずれか一項に記載の結合性樹脂であって、
前記エポキシ樹脂Ｅは１分子当たり２以上のエポキシ基を有するジエポキシド又はポリエポキシド化合物からなる群から選択され、並びに前記エポキシ樹脂Ｅはエピクロロヒドリンと芳香族化合物Ｄ１との若しくは（環状）脂肪族化合物Ｄ２との反応生成物であり、又は、低モル質量のジエポキシド若しくはポリエポキシド化合物Ｄ３と前記芳香族化合物Ｄ１若しくは前記（環状）脂肪族化合物Ｄ２との反応生成物であり、
前記芳香族化合物Ｄ１は１分子当たり２以上のヒドロキシル基を有し並びにビスフェノールＡ、ビスフェノールＦ、ジヒドロキジフェニルスルホン、ヒドロキノン、レゾルシノール、及び１，４−ビス−［２−（４−ヒドロキシフェニル）−２−プロピル］ベンゼンを含み、前記（環状）脂肪族化合物Ｄ２は１分子当たり各々２以上のヒドロキシル基を有し並びにヘキサンジオール−１，６、ブタンジオール−１，４、シクロヘキサンジメタノール、並びにオリゴ−及びポリ−プロピレングリコールを含む、
結合性樹脂。
【請求項１１】
脂肪酸アミドＭと、トリグリセリドＧＴ、ジグリセリドＧＤ、及びモノグリセリドＧＭからなる群から選択される少なくとも２種のグリセリドの混合物であるグリセリド混合物ＧＸとを含む混合物Ｍ’。
【請求項１２】
前記ジグリセリドＧＤ中に存在するヒドロキシル基の物質量ｎ（ＯＨ、ＧＤ）と、前記モノグリセリドＧＭ中に存在するヒドロキシル基の物質量ｎ（ＯＨ、ＧＭ）との合計が、前記脂肪酸アミドＭ中の脂肪酸部分の物質量に等しい、請求項１１に記載の混合物Ｍ’。
【請求項１３】
請求項１〜１０のいずれか一項に記載の結合性樹脂と、乳化剤、消泡剤、チキソトロピー剤、増粘剤、充填剤、顔料、並びに、コバルト系乾燥剤及び鉄系乾燥剤からなる群から選択される乾燥剤、の少なくとも１つとを含むプライマー。
【請求項１４】
噴霧、浸漬、ローリング、又は刷毛塗りにより請求項１３に記載のプライマーを塗布することにより、木材、加工木材、コンクリート、石膏、ガラス、セラミック、及び金属からなる群から選択される基材を被覆ための、請求項１３に記載のプライマーの使用法。
【請求項１５】
泳動電着で請求項１３に記載のプライマーを塗布することにより、金属基材を被覆するための、請求項１３に記載のプライマーの使用法。
【誤訳訂正２】
【訂正対象書類名】明細書
【訂正対象項目名】００５８
【訂正方法】変更
【訂正の内容】
【００５８】
得られた透明な被覆組成物をガラスプレートにフィルム延伸キューブを使用して塗布して、湿潤フィルム厚が２００μｍのフィルムを得た（この場合、７６μｍの乾燥フィルム厚に対応する。）。ＤＩＮ  ＥＮ  ＩＳＯ  １５２２に準拠してケーニッヒ法に従い振子硬度を測定した。室温（２３℃）にて乾燥した後、以下の結果を得た（乾燥剤添加／乾燥剤無添加）。
【表３】
2016536402.tif 000001
本発明を以下に示す。
［請求項１］
エポキシ樹脂Ｅ及びアミンＡからできており任意に不飽和脂肪酸Ｆ’の組み入れにより変性された付加物ＥＡを含む可塑化エポキシド−アミン付加物Ｐである結合剤樹脂であって、前記付加物が脂肪酸アミドＭ、又は前記脂肪酸アミドＭとトリグリセリドＧＴ、ジグリセリドＧＤ、及びモノグリセリドＧＭからなる群から選択される少なくとも２種のグリセリドの混合物であるグリセリド混合物ＧＸとの混合物Ｍ’の組み入れにより可塑化される、可塑化エポキシド−アミン付加物Ｐである結合剤樹脂。
［請求項２］
前記エポキシ樹脂Ｅが１分子当たり平均して少なくとも２つのエポキシ基を有する、請求項１に記載の可塑化エポキシド−アミン付加物Ｐ。
［請求項３］
前記アミンＡが少なくとも１つの第１級又は第２級アミノ基を有する脂肪族直鎖、環状又は分枝アミンである、請求項１又は２に記載の可塑化エポキシド−アミン付加物Ｐ。
［請求項４］
前記脂肪酸アミドＭが脂肪酸Ｆから及びアミンＡ’から誘導される部分を含み、ここで前記アミンＡ’は少なくとも２つの第１級アミノ基及び少なくとも１つの第２級アミノ基を有する、請求項１〜３のいずれか一項に記載の可塑化エポキシド−アミン付加物Ｐ。
［請求項５］
前記脂肪酸Ｆが、酪酸、カプロン酸、カプリル酸、２−エチルヘキサン酸、カプリン酸、ラウリン酸、ミリスチン酸、パルミチン酸、ステアリン酸、アラキジン酸、ベヘン酸、リグノセリン酸、セロチン酸、モンタン酸、及びメリシン酸を含み、４〜３０個の炭素原子を有する飽和脂肪酸からなる群から、並びにミリストレイン酸、パルミトレイン酸、ペトロセリン酸、ペトロセライジン酸、オレイン酸、エライジン酸、リノール酸、リノールエライジン酸、リノレン酸、リノレンエライジン酸、アルファ−及びベータ−エレオステアリン酸、ガドレイン酸、アラキドン酸、エルカ酸、ブラシジン酸、及びクルパノドン酸を含み、１２〜３０個の炭素原子を有し且つ少なくとも１つのオレフィン系不飽和を有する不飽和脂肪酸からなる群から選択される、請求項４に記載の可塑化エポキシド−アミン付加物Ｐ。
［請求項６］
アミンＡ’が、少なくとも２つの第１級アミノ基及び少なくとも１つの第２級アミノ基を有し、そして４〜４０個の炭素原子をする直鎖、分枝又は環状脂肪族アミンからなる群から選択される、請求項４に記載の可塑化エポキシド−アミン付加物Ｐ。
［請求項７］
請求項４に記載の可塑化エポキシド−アミン付加物Ｐであって、
前記アミンＡ’が、式：
Ｈ２Ｎ−[(ＣＨ２)ｎ−ＮＨ−]ｍ−Ｈ
に従い、式中ｎは２〜１２の整数であり、そしてｍは２〜２００の整数であり、
それには、ジエチレントリアミン、トリエチレンテトラミン、テトラエチレンペンタミン、ペンタエチレンヘキサミン、式Ｈ２Ｎ−[ＣＨ２−ＣＨ２−ＮＨ−]ｍ’−１−ＣＨ２−ＣＨ２−ＮＨ２（式中ｍ’は５〜２００である）で表されるアミノ末端基を有するオリゴマー及びポリマーのエチレンイミン、ジ−（２−メチルエチレン）トリアミン、トリ−（２−メチルエチレン）テトラミン、テトラ−（２−メチルエチレン）ペンタミン、ジプロピレントリアミン、トリプロピレンテトラミン、テトラプロピレンペンタミン、ジブチレントリアミン、トリブチレンテトラミン、テトラブチレンペンタミン、及びジ（ヘキサメチレン）トリアミン、トリ−（ヘキサメチレン）テトラミン、テトラ（ヘキサメチレン）ペンタミン、Ｎ，Ｎ’−ビス（２−アミノエチル）−ピペラジン、並びにＮ’−［２−［４−（２−アミノエチル）ピペラジン−１−イル］−エチル］−エタン−１，２−ジアミンが含まれる、
可塑化エポキシド−アミン付加物Ｐ。
［請求項８］
請求項１〜７のいずれか一項に記載の可塑化エポキシド−アミン付加物Ｐであって、
前記アミンＡは第１級モノアミンＡ１、第１級−第３級ジアミンＡ２、ジ−第３級−第２級アミンＡ３、第２級アミン及びジアミンＡ４、並びにヒドロキシル−官能性第２級アミンＡ５からなる群から選択され、
前記Ａ１は６〜１２個の炭素原子を有し並びにｎ−ヘキシルアミン、シクロヘキシルアミン、２−エチルヘキシルアミン及びステアリルアミンを含み、前記Ａ２はジメチルアミノプロピルアミン、ジエチルアミノプロピルアミン、及びＮ−（２−アミノエチル）ピペリジンを含み、前記Ａ３はジエチレントリアミン、トリエチレンテトラミン、及びテトラエチレンペンタミン、更に、オリゴマージアミノポリ−エチレンイミンの市販の混合物を含み、前記Ａ４はピペリジン、ピペラジン、ジ−ｎ−ブチルアミン、モルホリンを含み、並びに前記Ａ５はエタノール−アミン、ジエタノールアミン、及びジイソプロパノールアミン、更に２種以上のこれらのアミンの混合物を含む、
可塑化エポキシド−アミン付加物Ｐ。
［請求項９］
請求項１〜８のいずれか一項に記載の可塑化エポキシド−アミン付加物Ｐであって、
前記エポキシ樹脂Ｅは１分子当たり２以上のエポキシ基を有するジエポキシド又はポリエポキシド化合物からなる群から選択され、並びに前記エポキシ樹脂Ｅはエピクロロヒドリンと芳香族化合物Ｄ１との若しくは（環状）脂肪族化合物Ｄ２との反応生成物であり、又は、低モル質量のジエポキシド若しくはポリエポキシド化合物Ｄ３と前記芳香族化合物Ｄ１若しくは前記（環状）脂肪族化合物Ｄ２との反応生成物であり、
前記芳香族化合物Ｄ１は１分子当たり２以上のヒドロキシル基を有し並びにビスフェノールＡ、ビスフェノールＦ、ジヒドロキジフェニルスルホン、ヒドロキノン、レゾルシノール、及び１，４−ビス−［２−（４−ヒドロキシフェニル）−２−プロピル］ベンゼンを含み、前記（環状）脂肪族化合物Ｄ２は１分子当たり各々２以上のヒドロキシル基を有し並びにヘキサンジオール−１，６、ブタンジオール−１，４、シクロヘキサンジメタノール、並びにオリゴ−及びポリ−プロピレングリコールを含む、
可塑化エポキシド−アミン付加物Ｐ。
［請求項１０］
脂肪酸アミドＭと、トリグリセリドＧＴ、ジグリセリドＧＤ、及びモノグリセリドＧＭからなる群から選択される少なくとも２種のグリセリドの混合物であるグリセリド混合物ＧＸとを含む混合物Ｍ’であって、ジグリセリドＧＤ中に存在するヒドロキシル基の物質量ｎ（ＯＨ、ＧＤ）とモノグリセリドＧＭ中に存在するヒドロキシル基の物質量ｎ（ＯＨ、ＧＭ）との合計が、脂肪酸アミドＭ中の脂肪酸部分の物質量に等しい、混合物Ｍ’。
［請求項１１］
請求項１〜１０のいずれか一項に記載の可塑化エポキシド−アミン付加物Ｐと、乳化剤、消泡剤、チキソトロピー剤、増粘剤、充填剤、顔料、並びに、コバルト系乾燥剤及び鉄系乾燥剤からなる群から選択される乾燥剤、の少なくとも１つとを含むプライマー。
［請求項１２］
噴霧、浸漬、ローリング、又は刷毛塗りにより請求項１２に記載のプライマーを塗布することにより、木材、加工木材、コンクリート、石膏、ガラス、セラミック、及び金属からなる群から選択される基材を被覆ための、請求項１１に記載のプライマーの使用法。
［請求項１３］
泳動電着で請求項１２に記載のプライマーを塗布することにより、金属基材を被覆するための、請求項１１に記載のプライマーの使用法。
【誤訳訂正３】
【訂正対象書類名】明細書
【訂正対象項目名】０００２
【訂正方法】変更
【訂正の内容】
【０００２】
風乾性樹脂又は風乾性結合剤は、主にアルキド樹脂の分野において知られており、水希釈性アルキド樹脂は、（未変性の）アルキド樹脂と乳化剤とを混合することにより、又はポリエステル分子中の十分な数の酸性基であって、縮合反応、及び前記基の少なくとも幾つかの中和、又は共縮合の後に残っているものとポリエチレングリコール等の親水性ポリオキシアルキレンポリオールとを組み入れることにより得られる。前者のシステムは、アニオン性、後者のシステムは、本質的に非イオン性である。
【誤訳訂正４】
【訂正対象書類名】明細書
【訂正対象項目名】０００３
【訂正方法】変更
【訂正の内容】
【０００３】
例えば、ポリウレタン・ポリウレアに基づくアルキド樹脂のためのヒドロキシ官能性乳化剤は、ＥＰ０７４１１５６Ａ１で知られるようになった。他の外部的に乳化された水性アルキド樹脂組成物は、ＥＰ０５９３４８７Ａ１に記載されている。乳化性である化学的に組み入れられた乳化剤を有するアルキド樹脂は、ＥＰ０３１２７３３Ａ２で知られるようになった。
【誤訳訂正５】
【訂正対象書類名】明細書
【訂正対象項目名】０００４
【訂正方法】変更
【訂正の内容】
【０００４】
水相溶性は、化学的に組み入れられた形態の又は添加された形態の非イオン性又はアニオン性乳化剤を使用することによる全ての場合に達成させる。
【誤訳訂正６】
【訂正対象書類名】明細書
【訂正対象項目名】０００５
【訂正方法】変更
【訂正の内容】
【０００５】
製造した塗料が風乾性となるように、不飽和脂肪酸を組み入れることにより、ポリウレタン樹脂を変性することも知られている（ＥＰ０４４４４５４Ａ２）。
【誤訳訂正７】
【訂正対象書類名】明細書
【訂正対象項目名】００１０
【訂正方法】変更
【訂正の内容】
【００１０】
そこで、これらの特性を改良するために行われた実験の過程で、エポキシ樹脂とアミンとの反応生成物が、任意選択で不飽和脂肪酸の組み入れにより変性され、脂肪酸アミドの組み入れにより変性されて、特に暴露時間が長い金属基材に対して優れた防食性を発揮し、且つ良好な硬度を有する風乾性塗料用結合剤として使用することができることを見出した。
【誤訳訂正８】
【訂正対象書類名】明細書
【訂正対象項目名】００１１
【訂正方法】変更
【訂正の内容】
【００１１】
それ故、本発明の目的は、エポキシ樹脂Ｅ及びアミンＡからできており任意に不飽和脂肪酸Ｆ’の組み入れにより変性された付加物ＥＡを含む可塑化エポキシド−アミン付加物Ｐである結合剤樹脂であって、前記付加物が脂肪酸アミドＭ、又は前記脂肪酸アミドＭとトリグリセリドＧＴ、ジグリセリドＧＤ、及びモノグリセリドＧＭからなる群から選択される少なくとも２種のグリセリドの混合物であるグリセリド混合物ＧＸとの混合物の組み入れにより可塑化される、可塑化エポキシド−アミン付加物Ｐである結合剤樹脂である。
【誤訳訂正９】
【訂正対象書類名】明細書
【訂正対象項目名】００１３
【訂正方法】変更
【訂正の内容】
【００１３】
本発明の更なる目的は、特にベースメタル用プライマー組成物であり、その組成物は、結合剤樹脂として、エポキシ樹脂ＥとアミンＡからできており、任意選択で不飽和脂肪酸Ｆ’の組み入れにより変性される付加物ＥＡを含む可塑化エポキシド−アミン付加物Ｐを含み、その付加物は、脂肪酸アミドＭ、又は前記脂肪酸アミドＭと、トリグリセリドＧＴ、ジグリセリドＧＤ、及びモノグリセリドＧＭからなる群から選択される少なくとも２種のグリセリドの混合物であるグリセリド混合物ＧＸとの混合物Ｍ’の組み入れにより可塑化される。
【誤訳訂正１０】
【訂正対象書類名】明細書
【訂正対象項目名】００２５
【訂正方法】変更
【訂正の内容】
【００２５】
可塑化エポキシド−アミン付加物は段階反応にて作られ、第１段階で、脂肪酸アミド、又はこれとジグリセリド及び／又はモノグリセリドとの混合物が上記のように作られる。脂肪酸アミドを含むこの混合物を、第２段階のために投入し、そして好ましい実施態様では、以下の反応物を混合する：それは、ビスフェノールＡ（２，２−ビス（４−ヒドロキシフェニル）−プロパン）、及びビスフェノールＦ（ビス（４−ヒドロキシフェニル）−メタン）、ビスフェノールＳ（４，４’−ジヒドロキシジフェニルスルホン）、及びレゾルシノールから好ましくは選択される芳香族ジヒドロキシ化合物Ｄ１、及び少なくとも１つ、好ましくは２つのアミンＡであり、ここで、上記分類に従って、異なる分類のアミンＡに属する２種のアミンを選択するのが好ましい。この反応における任意選択の成分は、この混合物に添加してもよい不飽和脂肪酸Ｆ’である。この混合物を、透明な溶融物が得られるまで、６０℃〜１２０℃の温度に加熱する。その後、エポキシ樹脂Ｅを、好ましくは、Ｅ中のエポキシ基の物質量ｎ（ＥＰ）対アミンＡ及びＡ’中のアミンの水素原子の物質量ｎ（ＮＨ）と、脂肪酸アミドＭ中のアミドの水素原子の物質量ｎ（ＮＨ）と、脂肪酸Ｆ’中の酸の水素原子の物質量ｎ（ＣＯＯＨ）と、ヒドロキシ−官能性アミンＡ５中の第１級ヒドロキシ基の物質量ｎ（ＯＨ）と、芳香族ジヒドロキシ化合物Ｄ１のフェノールのヒドロキシ基の物質量ｎ（ＯＨ）との合計の比が、０．８モル／モル〜０．９９９モル／モルとなる量で添加する。